(57)【要約】無線通信デバイスは、筐体と、筐体に動作可能に結合される引き込み可能な組み合わせスピーカボックスおよびアンテナ機構とを含む。引き込み可能な組み合わせスピーカボックスおよびアンテナ機構は、密閉された音響容積を有するスピーカボックスとアンテナとを含む。引き込み可能な組み合わせスピーカボックスおよびアンテナ機構は、少なくとも引き込み可能な組み合わせスピーカボックスおよびアンテナ機構が筐体に隣接し、該アンテナが引き込まれた状況にあり、スピーカボックスは引き込まれた密閉された音響容積を含む引き込まれた位置と、引き込み可能な組み合わせスピーカボックスおよびアンテナ機構が筐体から離れるように動き、アンテナは、引き込まれた状況よりも筐体から遠くに離れている展開された状況にあり、スピーカボックスが引き込まれた密閉された音響容積よりも大きな展開された密閉された音響容積を含む展開された位置との間で移動可能である。
2009500924.tif 000002
【特許請求の範囲】
【請求項１】
露出された外部表面を備えている無線通信デバイス筐体と、
該筐体に動作可能に結合されている引き込み可能な組み合わせスピーカボックスおよびアンテナ機構であって、該引き込み可能な組み合わせスピーカボックスおよびアンテナ機構は、密閉された音響容積と、アンテナとを備えている、引き込み可能な組み合わせスピーカボックスおよびアンテナ機構と
を備えている無線通信デバイスであって、
該引き込み可能な組み合わせスピーカボックスおよびアンテナ機構は、引き込まれた位置と、展開された位置との間で移動可能であり、
該引き込まれた位置において、該引き込み可能な組み合わせスピーカボックスおよびアンテナ機構が、該筐体に隣接し、該筐体の該露出された外部表面のいかなる部分も覆わず、該スピーカボックスは、引き込まれた密閉された音響容積を含むように、該スピーカボックスの少なくとも一部分が、該筐体内に適合し、
該展開された位置において、該アンテナが、該引き込まれた位置にあるときよりも該筐体から遠く離れた展開された位置にあるように、かつ該スピーカボックスが、該引き込まれた密閉された音響容積よりも大きな展開された密閉された音響容積を含むように、該引き込み可能な組み合わせスピーカボックスおよびアンテナ機構の該スピーカボックスの該少なくとも一部分が、該筐体から離れるように動く、無線通信デバイス。
【請求項２】
前記無線通信デバイス筐体はトップを含み、前記組み合わせスピーカボックスおよびアンテナ機構はスピーカを含み、該組み合わせスピーカボックスおよびアンテナ機構は、該筐体の長手方向に、該筐体の該トップから離れるように展開される、請求項１に記載の無線通信デバイス。
【請求項３】
前記無線通信デバイス筐体はトップを含み、前記組み合わせスピーカボックスおよびアンテナ機構は、前記引き込まれた位置にあるときに該筐体の該トップと同一平面のトップを含み、該組み合わせスピーカボックスおよびアンテナ機構は、該筐体の長手方向に、該筐体の該トップから離れるように展開される、請求項１に記載の無線通信デバイス。
【請求項４】
前記無線通信デバイス筐体はフロントを含み、前記組み合わせスピーカボックスおよびアンテナ機構はスピーカと、前記引き込まれた位置にあるときに該筐体の該フロントと同一平面のフロントとを含み、該組み合わせスピーカボックスおよびアンテナ機構は、該筐体の前記トップから離れるように水平方向前方に展開される、請求項１に記載の無線通信デバイス。
【請求項５】
前記無線通信デバイス筐体はトップを含み、前記組み合わせスピーカボックスおよびアンテナ機構は前記引き込まれた位置にあるときに該筐体の該トップと同一平面のトップを含み、該組み合わせスピーカボックスおよびアンテナ機構は、ピボット点に対して展開されるときに該筐体の該トップから離れるように回転する、請求項１に記載の無線通信デバイス。
【請求項６】
前記引き込み可能な組み合わせスピーカボックスおよびアンテナ機構は、その中にスピーカを含む、請求項１に記載の無線通信デバイス。
【請求項７】
前記引き込み可能な組み合わせスピーカボックスおよびアンテナ機構は本体を含み、前記アンテナは、該本体の内部および該本体の外部のうちの少なくとも１つである、請求項１に記載の無線通信デバイス。
【請求項８】
露出された外部表面を含む無線通信デバイス筐体と、
該筐体と動作可能に結合され、引き込まれた位置と展開された位置との間で移動可能な引き込み可能な組み合わせスピーカボックスおよびアンテナ機構であって、該引き込み可能な組み合わせスピーカボックスおよびアンテナ機構は、密閉された音響容積を有するスピーカボックスと、アンテナとを含む、引き込み可能な組み合わせスピーカボックスおよびアンテナ機構と
を備えている無線通信デバイスであって、
該引き込まれた位置において、該筐体の該露出された外部表面は、該引き込み可能な組み合わせスピーカボックスおよびアンテナ機構のいかなる部分によっても覆われないように、該引き込み可能な組み合わせスピーカボックスおよびアンテナ機構の少なくとも一部分は、該筐体内に適合し、
該無線通信デバイス筐体の該露出された外部表面と、該引き込まれた位置にある該引き込み可能な組み合わせスピーカボックスおよびアンテナ機構とは、該密閉された音響容積を含む第一のスピーカ容積を規定し、該無線通信デバイス筐体の該露出された外部表面と、該展開された位置にある該引き込み可能な組み合わせスピーカボックスおよびアンテナ機構とは、該第一のスピーカ容積よりも大きい第二のスピーカ容積を規定する、無線通信デバイス。
【請求項９】
前記無線通信デバイス筐体はトップを含み、前記組み合わせスピーカボックスおよびアンテナ機構はスピーカを含み、該組み合わせスピーカボックスおよびアンテナ機構は、該筐体の長手方向に、該筐体の該トップから離れるように展開される、請求項８に記載の無線通信デバイス。
【請求項１０】
前記無線通信デバイス筐体はトップを含み、前記組み合わせスピーカボックスおよびアンテナ機構は、前記引き込まれた位置にあるときに該筐体の該トップと同一平面のトップを含み、該組み合わせスピーカボックスおよびアンテナ機構は、該筐体の長手方向に、該筐体の該トップから離れるように収縮する、請求項８に記載の無線通信デバイス。
【請求項１１】
前記無線通信デバイス筐体はフロントを含み、前記組み合わせスピーカボックスおよびアンテナ機構は、前記引き込まれた位置にあるときに、スピーカと、該筐体の該フロントと同一平面のフロントとを含み、該組み合わせスピーカボックスおよびアンテナ機構は、該筐体の該フロントから離れるように水平方向前方に展開される、請求項８に記載の無線通信デバイス。
【請求項１２】
前記無線通信デバイス筐体はトップを含み、前記組み合わせスピーカボックスおよびアンテナ機構は、前記引き込まれた位置にあるときに、該筐体の該トップと同一平面のトップを含み、該組み合わせスピーカボックスおよびアンテナ機構は、展開されたときに、該筐体の該トップから離れるように回転する、請求項８に記載の無線通信デバイス。
【請求項１３】
前記引き込み可能な組み合わせスピーカボックスおよびアンテナ機構は、その中にスピーカを含む、請求項８に記載の無線通信デバイス。
【請求項１４】
前記引き込み可能な組み合わせスピーカボックスおよびアンテナ機構は、本体を含み、前記アンテナは、該本体の内部に位置する状態、該本体の内部に少なくとも部分的に位置する状態、および該本体の外部に位置する状態のうちの少なくとも１つの状態である、請求項８に記載の無線通信デバイス。
【発明の詳細な説明】
【技術分野】
【０００１】
本発明は、概して、無線通信デバイスに関し、特に、無線通信デバイスのためのサウンドおよびアンテナシステムに関する。
【背景技術】
【０００２】
無線通信デバイス（例えば、セル式電話）は、より小さく、より小ぎれいに、よりコンパクトになってきている。セル電話をよりコンパクトに作るために、新しいセル電話は、該セル電話筐体内に構築された固定式の引き出し不可能なアンテナを有してデザインされている。セル電話筐体内にアンテナを構築することは、セル電話がより小さなデザインを有することを可能にする。突き出したアンテナを排除することによっても、セル電話は、使用者のパンツのポケットまたは鞄により容易にかつより快適に収納される。
【０００３】
より新しいセル電話は、ユーザが、セル電話をユーザの耳で保持する必要性なしに、スピーカを聴くことが可能なスピーカフォンスピーカを有する。これらのスピーカフォン技術に伴う問題は、特に発呼者の声またはオーディオファイル（例えば、ＭＰ３ファイル）を、スピーカを用いて聴くために、スピーカの音響品質が非常に良好ではないことである。
【発明の開示】
【課題を解決するための手段】
【０００４】
一実施形態に従って、無線通信デバイスは、引き込み可能な組み合わせスピーカボックスおよびアンテナ機構を含む。引き込まれた位置において、該組み合わせスピーカボックスおよびアンテナ機構は、無線通信デバイスの筐体と同一平面にある。展開された位置において、該組み合わせスピーカボックスおよびアンテナ機構は、該無線通信デバイスの筐体から突き出る。突き出した組み合わせスピーカボックスおよびアンテナ機構は、過去に利用可能であった、より良いアンテナ品質およびより良いスピーカ音質を提供する。
【０００５】
別の実施形態に従って、無線通信デバイスは、無線通信デバイス筐体と、該筐体に動作可能に結合されている引き込み可能な組み合わせスピーカボックスおよびアンテナ機構とを含む。該引き込み可能な組み合わせスピーカボックスおよびアンテナ機構は、密閉された音響容積と、アンテナとを有するスピーカボックスを含む。引き込み可能な組み合わせスピーカボックスおよびアンテナ機構は、少なくとも、該引き込み可能な組み合わせスピーカボックスおよびアンテナ機構が該筐体に隣接し、該アンテナが引き込まれた状態にあり、スピーカボックスが引き込まれた密閉された音響容積を含む、引き込まれた位置と、引き込み可能な組み合わせスピーカボックスおよびアンテナ機構が筐体から離れるように移動し、アンテナが上記引き込まれた状態よりも筐体から遠くに離れている展開された状態にあり、スピーカボックスが上記引き込まれた密閉された音響容積よりも大きい展開された密閉された音響容積を含む、展開された位置との間を移動可能である。
【０００６】
別の実施形態に従って、無線通信デバイスは、スペースの容積を規定する露出された外部表面を含む無線通信デバイス筐体と、該筐体と動作可能に結合されている組み合わせスピーカボックスおよびアンテナ機構とを含む。引き込み可能な組み合わせスピーカおよびアンテナ機構は、密閉された音響容積を有するスピーカボックスと、アンテナと、スペースの容積を規定する露出された外部表面とを含む。引き込み可能な組み合わせスピーカボックスおよびアンテナ機構は、少なくとも、無線通信デバイス筐体の露出された外部表面および引き込まれた組み合わせスピーカボックスおよびアンテナ機構が第一の容積を規定する引き込まれた位置と、無線通信デバイス筐体の露出された外部表面および引き込まれた組み合わせスピーカボックスおよびアンテナ機構が第一の容積よりも大きい第二の容積を規定する展開された位置との間を移動可能である。
【発明を実施するための最良の形態】
【０００７】
図１〜図２を参照すると、引き込み可能な組み合わせスピーカボックスおよびアンテナ機構１１０を含む無線通信デバイス１００が記載される。示される実施形態においては、上記無線通信デバイスはセル式電話であるが、該無線通信デバイスは、アンテナおよびスピーカを含む任意の無線デバイスであり得る。
【０００８】
この記載を読んだ後に、当業者は、様々な代替的な実施形態および代替的なアプリケーションにおいて、本発明をどのようにインプリメントするかが明らかになる。しかしながら、本発明の様々な実施形態が本明細書に記載されるが、これらの実施形態は、例示としてのみ提示され、限定としては提示されない。そのようなものとして、この様々な代替的な実施形態の詳細な記載は、添付される特許請求の範囲に述べられる本発明の範囲または外延を制限するように解釈されるべきではない。
【０００９】
図１および図２に示される無線通信デバイス１００の実施形態は、ディスプレイスクリーン１２０と、コントロールキー１３０と、デバイス筐体１４０とを含む。引き込み可能な組み合わせスピーカボックスおよびアンテナ機構１１０ならびにデバイス筐体１４０の両方は、共に容積を規定する外部表面を含む。
【００１０】
引き込み可能な組み合わせスピーカボックスおよびアンテナ機構１１０は、本体１５０と、スピーカ１６０と、内部アンテナ１７０とを含む。単一のスピーカ１５０および単一のアンテナ１７０が、示され、記載されるが、上記無線通信デバイスは、２つ以上のスピーカ１５０および／またはアンテナ１７０を含み得る。
【００１１】
示される実施形態において、本体１５０は、丸みを帯びた上部部材１８０と、一般的に長方形の下部部材１９０とを含む。該一般的に長方形の下部部材１９０は、デバイス筐体１４０の上部部分にスライド可能に受け入れられる。本体１５０は、スピーカボックスを形成し、本体１５０の内部は、密閉された音響容積を規定する。
【００１２】
示される実施形態において、内部アンテナ１７０は、上記丸みを帯びた上部部材１８０の内部および内壁上にある。内部アンテナは、一般的にらせん状の形状を有するように示されるが、内部アンテナ１７０は、代替的な形状または構造を有し得る。アンテナ１７０はまた、本体１５０の内部、本体１５０の中、および／または本体１５０の外部に位置するもののうちの１つ以上であり得る。アンテナ１７０は、コプラナ金属、鉄、セラミックまたは他の導電性金属から構築され得、筐体１４０および／または本体１５０の１つ以上の内部表面または外部表面上に位置し得る。筐体１４０からアンテナ１７０までの接続は、スピーカ接続に対して、スライド接続、ワイヤおよび／または基板によってなされ得るが、これには限定されない。代替的な実施形態において、アンテナ１７０は、２つの部品（または複数の部品）のアンテナであり得、ここで、一方のピースが他方を覆い、組み合わせスピーカボックスおよびアンテナ機構１１０が展開されるとき、全ての部品が露出され、アンテナ性能を向上させる。アンテナ１７０は、展開可能な機構１１０内に存在するように示され記載されるが、代替的な実施形態において、展開可能なスピーカボックスおよびアンテナ１７０は分離し得、アンテナ１７０は筐体１４０内に位置し得る。
【００１３】
無線通信デバイス１００は、ポップアップまたは展開機構（図示されない）、例えば、スプリングラッチまたはハンドルなどを含むがこれらに限定はされず、ポップアップまたは展開機構は、組み合わせスピーカボックスおよびアンテナ機構１１０を展開させる。
【００１４】
無線通信デバイス１００は、ここでは使用については記載される。アンテナ性能およびスピーカ１６０の音響性能を向上させるために、組み合わせスピーカボックスおよびアンテナ機構１１０は、筐体１４０の長手方向に、筐体１４０のトップから離れるように展開される。組み合わせスピーカボックスおよびアンテナ機構１１０を展開するために、ユーザは、展開機構を作動して、スプリングラッチが、図２に示される位置に、組み合わせスピーカボックスおよびアンテナ機構１１０を解放し、後押しするようにさせる。この位置において、無線通信デバイス１００の実効長が増加し、組み合わせスピーカボックスおよびアンテナ機構１１０の密閉された音響容積は、図２に示される引き込まれた位置における組み合わせスピーカボックスおよびアンテナ機構１１０の密閉された音響容積に比べて増加する。組み合わせスピーカボックスおよびアンテナ機構１１０の内部は、展開された位置において、引き込まれた位置よりも、著しく、より中空になり得、より大きなスピーカボックスおよび密閉された音響容積を提供する。さらに、筐体１４０の露出された表面および本体１５０によって規定される全容積は、組み合わせスピーカボックスおよびアンテナ機構１１０が引き込まれたとき（図１）と比べると、組み合わせスピーカボックスおよびアンテナ機構１１０が展開されるとき（図２)の方が大きい。増加した密閉された音響容積またはより大きなスピーカボックスは、スピーカのプレイの間（例えば、スピーカフォンの使用の際、オーディオファイルのプレイの際）に、スピーカ１６０の音質を向上させる。組み合わせスピーカボックスおよびアンテナ機構１１０を図２に示される位置に展開することはまた、アンテナ１７０を筐体１４０に対して伸ばして、ＲＦ性能を向上させる。
【００１５】
図３および図４を参照すると、引き込み可能な組み合わせスピーカボックスおよびアンテナ機構２１０を含む無線通信デバイス２００の別の実施形態が記載される。先に記載されたものと同様の図３および図４のエレメントは、同様の参照番号によって示され、および／または記載される。
【００１６】
組み合わせスピーカボックスおよびアンテナ機構２１０は、収縮する本体２２０と内部アンテナ１７０とを含む。示される実施形態において、本体２２０は、わずかに曲がった形状を有する。本体２２０は、デバイス筐体１４０の上部部分に、収縮して、かつスライドして受け入れられる。図３に示される引き込まれた位置において、組み合わせスピーカボックスおよびアンテナ機構２１０のトップは、筐体１４０のトップと同一平面にある。
【００１７】
使用中、スピーカ１６０のアンテナ性能および音響性能を向上させるために、組み合わせスピーカボックスおよびアンテナ機構２１０は、展開機構を作動させることによって、展開される。このことは、組み合わせスピーカボックスおよびアンテナ機構２１０を収縮させたり、筐体の長手方向に、筐体１４０のトップから離れて、無線通信デバイス２００のトップから外へ、図４に示される位置に入るように展開されたりするようにする。この位置において、組み合わせスピーカボックスおよびアンテナ機構２１０の密閉された音響容積は、図３に示される引き込まれた位置における組み合わせスピーカボックスおよびアンテナ機構２１０の密閉された音響容積に比べて増加する。増加した密閉された音響容積またはより大きなスピーカボックスは、スピーカ１６０の音質を向上させる。組み合わせスピーカボックスおよびアンテナ機構２１０を、無線通信デバイス２００のトップから外に、図４に示される位置に展開することはまた、筐体１４０に対してアンテナ１７０を伸ばし、アンテナ性能を向上させる。
【００１８】
図５および図６を参照して、引き込み可能な組み合わせスピーカボックスおよびアンテナ機構３１０を含む無線通信デバイス３００の別の実施形態が記載される。先に記載されたものと同様の図５および図６のエレメントは、同一の参照番号によって示され、および／または記載される。
【００１９】
組み合わせスピーカボックスおよびアンテナ機構３１０は、展開可能で引き込み可能な本体３２０と、スピーカ１６０と、内部アンテナ１７０とを含む。示される実施形態において、本体３２０は、丸みを帯びたフロント部材３３０と、丸みを帯びたリア部材３４０とを含む。丸みを帯びたリア部材３４０は、デバイス筐体１４０の上部部分にスライドして受け入れられる。本体３２０の内部は、密閉された音響容積を規定する。図５に示される引き込まれた位置において、組み合わせスピーカボックスおよびアンテナ機構３１０のフロントは、筐体１４０のフロントと同一平面にある。
【００２０】
アンテナ性能およびスピーカ１６０の音響性能を向上させるために、組み合わせスピーカボックスおよびアンテナ機構３１０は、展開機構を作動させることによって、筐体１４０から水平方向前方に離れるように、図６に示される位置まで展開される。この位置において、フロント部材３３０は、ディスプレイ１２０上に突き出し、組み合わせスピーカボックスおよびアンテナ機構３１０の密閉された音響容積は、図５に示される引き込まれた位置における組み合わせスピーカボックスおよびアンテナ機構３１０の密閉された音響容積に対して増加する。増加した密閉された音響容積は、スピーカ１６０の音質を向上させ、アンテナ１７０を筐体１４０に対して伸ばすことは、アンテナ性能を向上させる。
【００２１】
図７および図８を参照すると、引き込み可能な組み合わせスピーカボックスおよびアンテナ機構４１０を含む無線通信デバイス４００の別の実施形態が記載される。先に記載されたものと同様の図７および図８のエレメントは、同一の参照番号によって示され、および／または記載される。
【００２２】
組み合わせスピーカボックスおよびアンテナ機構４１０は、回転可能なリッド部材４２０と、内部アンテナ１７０とを含む。示される実施形態において、該リッド部材４２０は、わずかに曲がった形状を有する。リッド部材４２０は、デバイス筐体１４０の上部部分に回転して受け入れられる。図７に示される引き込まれた位置において、引き込み可能な組み合わせスピーカボックスおよびアンテナ機構４１０は、筐体１４０のトップと同一平面にある。組み合わせスピーカボックスおよびアンテナ機構４１０は、筐体１４０のトップに示されているが、代替的な実施形態においては、該組み合わせスピーカボックスおよびアンテナ機構４１０は、筐体１４０のフロント、バック、ボトムおよび／またはサイドに位置し得る。
【００２３】
使用中、アンテナ性能およびスピーカ１６０の音響性能を向上させるために、組み合わせスピーカボックスおよびアンテナ機構４１０が、展開機構を作動させることによって、展開される。このことは、組み合わせスピーカボックスおよびアンテナ機構４１０を、時計回りに、つまり無線通信デバイス４００のトップの上方右側に、図８に示される位置まで回転させる。代替的な実施形態において、組み合わせスピーカボックスおよびアンテナ機構４１０は、前から後ろの方向、後ろから前の方向、左から右の方向（時計回り）、右から左の方向（反時計回り）、これらの方向の任意の組み合わせ、または代替的な方向に、フリップし得、旋回し得、および／または回転し得る。図８に示される展開された位置における組み合わせスピーカボックスおよびアンテナ機構４１０の密閉された音響容積は、図７に示される引き込まれた位置における組み合わせスピーカボックスおよびアンテナ機構４１０の密閉された音響容積に比べて増加する。増加した密閉された音響容積またはより大きなスピーカボックスは、スピーカ１６０の音質を向上させる。組み合わせスピーカボックスおよびアンテナ機構４１０を、無線通信デバイス２００のトップから外に、図８に示される位置まで展開することはまた、アンテナ１７０を筐体１４０に対して伸ばし、アンテナ性能を向上させる。
【００２４】
開示される実施形態の上記の記載は、当業者が本発明を構成し、または使用することを可能にするために提供される。これらの実施形態に対する様々な修正が当業者に対して容易に明らかになり、本明細書に開示される一般的な原理は、本発明の精神または範囲から逸脱することなしに、他の実施形態に適用され得る。従って、本明細書において提示される記載および図面は、本発明の現在における好ましい実施形態を表し、それゆえ、本発明によって広く予期される主題の問題を表すことが理解されるべきである。本発明の範囲は、本開示の利益を有する当業者に対して明らかになり得る他の実施形態を完全に包含することがさらに理解される。
【図面の簡単な説明】
【００２５】
【図１】図１は、引き込み可能な組み合わせスピーカボックスおよびアンテナ機構を含む無線通信デバイスの実施形態の正面図である。
【図２】図２は、図１に図示される無線通信デバイスの正面図であり、組み合わせスピーカボックスおよびアンテナ機構を展開された状態で示す。
【図３】図３は、引き込み可能な組み合わせスピーカボックスおよびアンテナ機構を含む無線通信デバイスの別の実施形態の正面図である。
【図４】図４は、図３に図示される無線通信デバイスの正面図であり、組み合わせスピーカボックスおよびアンテナ機構を引き込まれた状態で示す。
【図５】図５は、引き込み可能な組み合わせスピーカボックスおよびアンテナ機構を含む無線通信デバイスのさらなる実施形態の正面図である。
【図６】図６は、図５に図示される無線通信デバイスの正面図であり、組み合わせスピーカボックスおよびアンテナ機構を示す。
【図７】図７は、引き込み可能な組み合わせスピーカボックスおよびアンテナ機構を含む無線通信デバイスのさらなる実施形態の正面図を示す。
【図８】図８は、図７に図示される無線通信デバイスの正面図であり、組み合わせスピーカボックスおよびアンテナ機構を示す。
【図１】
2009500924.tif 000003
【図２】
2009500924.tif 000004
【図３】
2009500924.tif 000005
【図４】
2009500924.tif 000006
【図５】
2009500924.tif 000007
【図６】
2009500924.tif 000008
【図７】
2009500924.tif 000009
【図８】
2009500924.tif 000010
【国際調査報告】
2009500924.tif 000011
2009500924.tif 000012
2009500924.tif 000013